(57)【特許請求の範囲】
【請求項１】
ＳＤＨインタフェースを終端する機能を有するベースバンド処理部と変復調機能及び送受信機能を備えた無線送受信部を一体化したユニットを各現用回線と最低１個の予備回線に設け、また、所定の現用ユニットと予備ユニットの切り替えを行うユニット切替スイッチを現用ユニットの外側有線側に設け、更に、各現用ユニットより障害検出情報を収集し、所定の論理に従って前記スイッチを駆動して現用ユニット／予備ユニットの切り替えを行う切替論理部を設けたＳＤＨ無線伝送装置において、
前記現用ユニットは、
現用の無線回線に発生した障害を検出する無線回線障害検出部、
現用無線回線と予備無線回線の同期を検出する同期検出回路、
予備無線回線からの信号と現用無線回線からの信号のいずれか一方の信号を選択する受信スイッチと、
ユニットの切替が必要となる障害を検出するユニット障害検出部を備え、
前記切替論理部は、無線回線に障害が発生し、現用無線回線と予備無線回線の同期がとれたとき、前記受信スイッチを制御し、予備無線回線からの信号を選択してベースバンド処理部に無瞬断で入力し、又、ユニット切替を必要とする障害が発生したとき前記ユニット切替スイッチを制御して現用ユニットと予備ユニットの切り替えを行うことを特徴とする無線伝送装置。
【請求項２】
前記現用ユニットは、選択的に現用の無線回線のみより信号を送信し、あるいは、現用及び予備の無線回線を介して同時に信号を送信する送信用スイッチを備え、
前記切替論理部は無線回線に障害が発生したとき、対向局の切替論理部に現用及び予備の無線回線に同時に信号を送信するよう要求し、
対向局の切替論理部は該要求により対向局の現用ユニットの送信用スイッチを切り替えて現用及び予備の無線回線に同時に信号を送信することを特徴とする請求項１記載の無線伝送装置。
【請求項３】
前記現用ユニットは、無線伝送装置への実装／非実装を検出するユニット実装検出部を備え、
前記切替論理部はユニットの非実装により前記ユニット切替スイッチを制御して現用ユニットと予備ユニットの切り替えを行うことを特徴とする請求項１記載の無線伝送装置。
【請求項４】
前記現用ユニットは、受信用スイッチの信号下流方向のポイントに設けられ同期切替後の回線障害を検出する回線障害検出部を備え、
前記切替論理部は前記無瞬断切替後の回線障害発生により、前記ユニット切替スイッチを制御して現用ユニットと予備ユニットの切り替えを行うことを特徴とする請求項１記載の無線伝送装置。
【請求項５】
無線伝送装置の各ユニットの状態を収集し、該収集情報にユニットが属する伝送路の識別子を付して上位装置に報告する監視制御部を設け、監視制御部は、識別子とユニットの対応を保持するテーブルを備え、現用ユニットを予備ユニットへ切り替えたとき、それまでの識別子に予備ユニットが対応するように前記テーブル内容を変更することを特徴とする請求項１記載の無線伝送装置。
【請求項６】
上位装置からのコマンドを受信し、該コマンドによる設定情報を所定のユニットに書き込む監視制御部を設け、
該監視制御部は、上位装置からのコマンドを受信するコマンド受信部、
現用ユニットから予備ユニットへのユニット切替の有無及びその現用ユニット番号を保持する手段、
該保持情報に基づいて切替前の現用ユニットに設定情報を書き込むかどうかを判別する設定情報書込判別手段、
ユニット切替無しの時は現用ユニットに、ユニット切替有りの時は予備ユニットと切替前の現用ユニットの両方へ設定情報を書込む手段、を備えたことを特徴とする請求項１記載の無線伝送装置。
【請求項７】
前記監視制御部は、現用ユニットと予備ユニットの設定情報を比較する設定情報比較手段、
現用から予備へのユニット切替時に現用ユニットの設定情報を予備ユニットに複写する手段を備え、
現用ユニットと予備ユニットの設定情報が一致すれば、前記複写をせず、不一致の場合には複写する請求項６記載の無線伝送装置。
【発明の詳細な説明】
【０００１】
【発明の属する技術分野】
本発明はＳＤＨ（Ｓｙｎｃｈｒｏｎｏｕｓ  Ｄｉｇｉｔａｌ  Ｈｉｅｒａｒｃｈｙ）通信網におけるマイクロ波を使用したディジタル多重無線装置（ＳＤＨ無線伝送装置）に係わり、特に複数の現用回線と少なくとも１つの予備回線とを備え、ＳＴＭ（Ｓｙｎｃｈｒｏｎｏｕｓ  Ｔｒａｎｓｆｅｒ  Ｍｏｄｅ）信号をベースバンド信号として無線信号を送受信するＳＤＨ無線装置に関する。
ＳＤＨ無線伝送装置は、その伝送容量の大きさ等からハードウェアが大規模になる傾向にあり、その小型化や低価格化の要求が高まっている。
又、近年は光伝送装置・交換機等と無線伝送装置の統合監視が求められており、ＳＤＨ通信網では、監視制御システムがＩＴＵ−Ｔ等の勧告により標準化されつつあり、ＳＤＨ通信網のメディアに依存しない統合監視への要求が年々増大している。
又、ＳＤＨ網管理において、複数のベンダによって供給される通信機器を一括して管理することが要求されている。しかし、ＳＤＨ網にはＳＯＨ（Ｓｅｃｔｉｏｎ  Ｏｖｅｒｈｅａｄ）と呼ばれる付加信号があり、その使用方法についてＩＴＵ−Ｔ等で決められつつあるが、実際には使用可否や使用方法に製造メーカ間で微妙に違いがあり、それらを設定等で可変にすることによりマルチベンダ化に対応しようとする方法も採られ、機器の設定や使用方法が複雑化し、またコストを上昇させる要因ともなっている。本発明は、これらの要求を解決するＳＤＨ無線装置装置に関する。
【０００２】
【従来の技術】
現在、光伝送中心にネットワークのＳＤＨ化が進められている。かかるＳＤＨ通信網内に無線伝送路が組み込まれる場合がある。例えば、海越え、あるいは険しい山地を越えてＳＤＨ通信網を構築する場合、海底あるいは山地に光ケーブルを敷設しなければならない。しかし、かかる敷設作業は大変な作業と工事費を要する。このため、海あるいは険しい山地など、敷設困難な地域にＳＤＨ通信網を構築する際には、該地域の入り口まで光伝送路を敷設すると共に、該地域の出口から光伝送路を敷設し、その間に無線伝送路を組み込む。
【０００３】
例えば、図１９は光伝送路に無線伝送路を組み込むＳＤＨネットワークの構成例であり、光伝送路の冗長回線を終端して伝送するものである。図中、１ａ，１ｂは光伝送装置、２ａ，２ｂは無線装置である。３１Ｗ〜３２Ｐは光伝送装置１ａと無線装置２ａ間に敷設されている光伝送路で、３１Ｗ，３２Ｗは光伝送路の現用回線（運用回線）、３１Ｐ，３２Ｐは予備回線である。各予備回線３１Ｐ，３２Ｐは、それぞれ現用回線３１Ｗ，３２Ｗに障害が生じた時に現用回線となるもので、現用回線と予備回線には同一のデータが伝送される。
４１Ｗ，４２Ｗは光現用回線３１Ｗ，３２Ｗに対応して設けられた無線現用回線、４Ｐは１つの無線予備回線である。無線装置２ａは、光予備回線を終端し、光現用回線３１Ｗ，３２Ｗからのデータを無線現用回線４１Ｗ，４２Ｗを介して対地の無線装置２ｂに送信する。又、無線装置２ａは、無線現用回線４１Ｗ，４２Ｗの一方に障害が発生した時、対応する光現用回線から取り込んだデータを無線予備回線４Ｐを介して無線装置２ｂに送信し、障害が生じた無線現用回線を救済する。
【０００４】
５１Ｗ〜５２Ｐは無線装置２ｂと光伝送装置１ｂ間に敷設されている光伝送路で、５１Ｗ，５２Ｗは光伝送路の現用回線、５１Ｐ，５２Ｐは予備回線である。各予備回線５１Ｐ，５２Ｐは、それぞれ現用回線５１Ｗ，５２Ｗに障害が生じた時に現用回線となる。無線装置２ｂは、第１の無線現用回線４１Ｗあるいは無線予備回線４Ｐ（障害時）より取り込んだデータを光現用回線５１Ｗ及び光予備回線５１Ｐに送出し、又、第２の無線現用回線４２Ｗあるいは無線予備回線４Ｐ（障害時）より取り込んだデータを光現用回線５２Ｗ及び光予備回線５２Ｐに送出する。これにより、光現用回線と光予備回線に同一のデータを伝送する。
図１９では光現用回線と光予備回線の組が２組だけ設けられているが通常Ｎ組（≧２）設けられている。すなわち、光回線は、光現用回線と光予備回線をＮ組備え、無線回線は、Ｎ個の光現用回線に対応してそれぞれ無線現用回線を有すると共に、１つの無線予備回線を有する。
【０００５】
図２０はＳＤＨのフレーム構造の説明図であり、１５５．５２Ｍｂｐｓの場合である。１フレーム９×２７０バイトで構成され、最初の９×９バイトはセクションオーバヘッド
（Ｓｅｃｔｉｏｎ  Ｏｖｅｒｈｅａｄ）ＳＯＨ、残りはパスオーバヘッド（Ｐａｔｈ  Ｏｖｅｒｈｅａｄ）ＰＯＨ及びペイロード（ｐａｙｌｏａｄ）ＰＬである。
セクションオーバヘッドＳＯＨは、フレームの先頭を表わす情報（フレーム同期信号）、伝送路固有の情報（伝送時のエラーチェック情報、ネットワーク保守情報等）、パスオーバヘッドＰＯＨの位置を示すポインタ等を伝送する部分である。又、パスオーバヘッドＰＯＨは網内でのエンド・ツー・エンドの監視情報を伝送する部分、ペイロードＰＬは１５０Ｍｂｐｓの情報を送る部分である。
【０００６】
セクションオーバヘッドＳＯＨは、３×９バイトの中継セクションオーバヘッド、    １×９バイトのポインタ、５×９バイトの多重セクションオーバヘッドで構成されている。多重セクションは図２１に示すように端局中継装置１１，１２の間の区間を指し、中継セクションは端局中継装置１１，１２間に多数の伝送路１３ａ〜１３ｃと中継器１４ａ，１４ｃが設けられている場合、１つの伝送路の両端の区間を指し、多重セクションは複数の中継セクションで構成されている。
中継セクションオーバヘッドは、図２２に示すように、Ａ１〜Ａ２，Ｃ１，Ｂ１，Ｅ１，Ｆ１，Ｄ１〜Ｄ３バイトを有している。又、多重セクションオーバヘッドは、Ｂ２，Ｋ１〜Ｋ２，Ｄ４〜Ｄ１２，Ｓ１，Ｚ１〜Ｚ２バイトを有し，各バイトの意味は図２３に示している。中継セクションオーバヘッド、多重セクションオーバヘッドには未定義のバイトが多数あり、通信業者によりその使用がゆだねられている。
【０００７】
オーバヘッドバイトのうち、Ｋ１  バイトは主に切り替え要求のために用いられ、切り替え要求の要因、切り替え要求のレベルおよび切り替えラインを指定する。Ｋ２  バイトは主にＫ１  バイトに対する応答に用いられ、１：１システム／１：Ｎシステムの別（１つの予備回線に対する運用回線数）、切り替えモードの別、障害内容等を示すものである。切り替えモードは、片方向の信号だけが切り替わる単一方向モード（Ｕｎｉ−ｄｉｒｅｃｔｉｏｎａｌ  ｍｏｄｅ）と、両方向の信号が同時に切り替わる双方向モード（Ｂｉ−ｄｉｒｅｃｔｉｏｎａｌ  ｍｏｄｅ）の２種類がある。
【０００８】
図２４はＫ１，  Ｋ２バイトを用いた切り替えシーケンスの説明図である。Ｕｎｉ−ｄｉｒｅｃｔｉｏｎａｌ  ｍｏｄｅの場合、図２４（ａ）に示すように、Ｂ局はＳＦ（ｓｉｇｎａｌ  Ｆａｉｌｕｒｅ）を検出するとＫ１バイト（Ｓｗｉｔｃｈ  ｒｅｑｕｅｓｔ）をＡ局に送る。Ａ局は受信したＫ１バイト（Ｓｗｉｔｃｈ  ｒｅｑｕｅｓｔ）により指定されたラインに対してブリッジ（Ｂｒｉｄｇｅ）制御を行う。Ｂｒｉｄｇｅ制御とは現用回線と予備回線の両方に同一の信号を伝送する制御の事である。Ａ局はＢｒｉｄｇｅ制御をおこなた後、受信したＫ１バイトに対応したＫ２バイト（Ｓｗｉｔｃｈ  ｒｅｓｐｏｎｓｅ）を対向局（Ｂ局）に送信する。このＫ２バイトを受信したＢ局では、Ｓｗｉｔｃｈ制御を行う。Ｓｗｉｔｃｈ制御とは指定された受信方向のライン信号を予備回線に切り替える制御のことである。
【０００９】
Ｂｉ−ｄｉｒｅｃｔｉｏｎａｌ  ｍｏｄｅの場合、図２４（ｂ）に示すように、Ｂ局はＳＦを検出するとＫ１バイト（Ｓｗｉｔｃｈ  ｒｅｑｕｅｓｔ）をＡ局に送る。Ａ局は受信したＫ１バイト
（Ｓｗｉｔｃｈ  ｒｅｑｕｅｓｔ）により指定されたラインに対してＢｒｉｄｇｅ制御を行い、
Ｕｎｉ−ｄｉｒｅｃｔｉｏｎａｌ  ｍｏｄｅと同様にＫ２バイト（Ｓｗｉｔｃｈ  ｒｅｓｐｏｎｓｅ）を返送すると同時に、Ｒｅｖｅｒｓｅ  ｒｅｑｕｅｓｔ（ＲＲ）を指定したＫ１バイトを送出する。Ｂ局はＲＲを受信した時には、自局が送出したＫ１バイトで指定したラインに対し、Ｓｗｉｔｃｈ制御および
Ｂｒｉｄｇｅ制御を行い、対向局（Ａ局）にＫ２バイト（Ｓｗｉｔｃｈ  ｒｅｓｐｏｎｓｅ）を送出する。このＫ２バイト（Ｓｗｉｔｃｈ  ｒｅｓｐｏｎｓｅ）を受信したＡ局はＳｗｉｔｃｈ制御を行う。
図２５は従来の無線伝送装置の構成図である。２１はベースバンド処理部（ＢＢ）で、ＳＤＨ伝送路との間のインタフェース処理、オーバヘッドの挿入／抽出処理等のベースバンド処理を行う、２２は送受信部で、現用系及び予備系の送信部ＴＸＷ，ＴＸＰ並びに現用系及び予備系の受信部ＲＸＷ，ＲＸＰを備えている。２３は現用系及び予備系を切り替えるスイッチ部であり、送信部切替スイッチＳＷＴ、受信部切替スイッチＳＷＲを有している。
【００１０】
図２６は図２５の無線伝送装置の送信系あるいは受信系をファンクションブロックで表現したもので、２４は有線側機能部、２５は無線側機能部である。有線側機能部２４において、ＳＰＩはＳＤＨ物理インタフェース部、ＲＳＴは中継セクション終端部、ＭＳＴは多重セクション終端部、ＭＳＡは多重セクションアダプテーション部である。又、無線側機能部２５において、ＭＳＡは多重セクションアダプテーション部、ＭＳＴは多重セクション終端部、ＲＳＴは中継セクション終端部、ＲＳＰＩは現用及び予備の無線ＳＤＨ物理インタフェース部、ＲＰＳは無線回線の障害によりスイッチ２３を制御して現用、予備の切り替えを行う無線切替論理部である。
かかる従来の無線伝送装置によれば、無線回線に障害が発生したとき無線側に設けたスイッチ２３により無線側のみを同期を取って無瞬断で切り替えることができる。又、無線回線の障害により有線側を切り替えないため、有線側監視情報を上位装置に通知する際に使用する回線識別子が変更せず、管理が容易となる利点がある。しかし、従来の無線伝送装置では、ベースバンド処理部ＢＢ、現用送信部ＴＸＷ，予備送信部ＴＸＰ、現用受信部ＲＸＷ、予備受信部ＲＸＰがそれぞれユニット化され、別々の基板上に形成されているため、大型化し、また、高価格になる問題がある。
【００１１】
このため、ハードウェアのコストダウンや省スペース化のためにベースバンド処理部や変復調部及び送受信部を可能な限り一体化（ユニット化）した無線伝送装置が提案されている。図２７はかかる無線伝送装置の構成図であり、Ｋ１〜Ｋｎ，Ｋｐはベースバンド処理部や変復調部、送受信部を一体化したユニットで、ユニットＫ１〜Ｋｎは現用回線１〜現用回線ｎに応じて設けられた現用ユニット、ユニットＫｐは予備回線に対応して設けられた予備ユニットである。ＢＲは受信フィルタ及びアンテナ共用器、ＡＮＴはアンテナ、ＳＷ１〜ＳＷｎは各現用ユニットＫ１〜Ｋｎの伝送路側に設けられた送端及び受端切替スイッチで、現用／予備のユニット切り替えを行うもの、ＳＶは監視制御部で、各ユニットの状態監視機能、障害発生による現用／予備の切替制御（回線制御）、タイミングクロック供給機能、オーダワイヤ通信機能などを備えている。図２８は図２７の無線伝送装置の機能ブロック図であり、図２７の各部と対応する部分には同一符号を付している。２４は有線側機能部、２５は無線側機能部である。ＲＰＳは所定の論理に従ってスイッチＳＷ１〜ＳＷｎを制御してユニットの現用／予備の切り替えを行う無線切替論理部、ＳＰＩはＳＤＨ物理インタフェース部、ＲＳＴは中継セクション終端部、ＭＳＴは多重セクション終端部、ＭＳＡは多重セクションアダプテーション部、ＲＳＰＩは無線ＳＤＨ物理インタフェース部である。
【００１２】
図２７の無線伝送装置によれば、図２５の無線伝送装置に比べ、ハードウェアのコストダウンや省スペース化が可能になる利点がある。しかし、切替スイッチが無線側から離れた位置に設けられるため、切替時に現用信号と予備信号の同期を取って無瞬断切替を行なうことが難しいという問題がある（同期はＲＳＰＩ部で取る）。
【００１３】
【発明が解決しようとする課題】
以上にように、従来の第１の無線伝送装置（図２５）では、ベースバンド信号を受信して、それを変調し、無線周波数に変換するまでの送信側信号処理部と、その逆の、無線周波数の信号を受信して、復調し、ベースバンド信号として送信するまでの受信側信号処理部をブロック毎に個別のユニットで構成している。しかし、近年の大容量無線装置（ＳＴＭ１  レベルの１５６Ｍの無線伝送装置など）では小型化やコストダウンのために、従来の第２の無線伝送装置（図２７）のように送信信号処理部と受信側処理部との両方の全部あるいは一部を一つのユニットに実装するようにしている。このため、図２５に示す構成では無線回線エラー発生時に無瞬断切替を行なうことができたが、図２７に示す各処理部を一体化する構成ではユニット外部で切り替えを行う必要があり無瞬断切替を行なうことが難しい問題があった。
【００１４】
また、従来の第２の無線伝送装置のように、送信処理部と受信処理部がひとつのユニットに含まれる場合、現用ユニットを交換をする際、送受信両方の信号を予備のユニットＫｐへ切り替える必要がある。しかし、一般に切替による回線断時間を減らすため、無線切替は送信側、受信側を別々に切り換える構成を採っている。このため、ユニット交換時に手動で片方づつ切り替える必要がありユニット交換操作が面倒となる問題があった。
【００１５】
更に、従来の第２の無線伝送装置では無線回線の障害であっても有線側のファンクションブロックをも同時に切り換えるため、本来関係の無い有線側監視情報の識別子まで変更してしまい、上位監視装置は有線側の監視も無線切替を意識して行なわなければならない問題がある。ネットワークの監視を行なう場合、伝送路はその伝送媒体を意識せず、  ｅｎｄ  ｔｏ  ｅｎｄの１本の土管と見なすことができる（図２９の伝送路１、伝送路２参照）。したがって、無線装置内で現用／予備のユニット切り換えを行なってもネットワークとしてみれば同じ伝送路（伝送路１、伝送路２）でデータが流れていることになる。しかし、図２７の無線伝送装置では予備回線と現用回線を異なる伝送路と見なし、現用ユニットと予備ユニットの監視情報を別の伝送路の監視情報とみなす。このため、図３０に示すように現用ユニットＫ１を予備ユニットＫｐに切り換えた場合、図３１に示す監視制御部ＳＶはユニット切替前は現用ユニットＫ１の状態情報を伝送路１の情報として上位装置ＯＰＳに送出するが、予備ユニットＫｐへ切替後は予備ユニットＫｐの状態情報を伝送路０の情報として上位装置ＯＰＳに送出する。すなわち、現用／予備ユニットの切替前後で識別子を変えて状態情報を上位装置へ通知する。これは、現用ユニットから検出される情報と予備ユニットから検出される情報を、それぞれ別のものとして管理（出力）しなければならないことを意味する。この結果、無線メディア特有の切替状態の認識を、複数の伝送メディアのネットワーク管理者も、行なわなければならないという問題が生じる。
【００１６】
以上から本発明の目的は、ハードウェアのコストダウンや省スペース化が図れ、しかも、現用信号と予備信号の同期を取って無瞬断切替ができるＳＤＨ無線伝送装置を提供することである。
本発明の別の目的は、ユニット交換時に自動的に予備ユニットに切り替えることができるＳＤＨ無線伝送装置を提供することである。
本発明の別の目的は、現用、予備を切り替えた場合、予備ユニットと切替前の現用ユニットは同一伝送路（同一伝送回線）のユニットであるとみなし、各ユニットの状態情報に付す識別子を同一にできるＳＤＨ無線伝送装置を提供することである。
本発明の別の目的は、現用／予備の切り替え時間の短縮及び切替戻し時間の短縮が可能なＳＤＨ無線伝送装置を提供することである。
【００１７】
【課題を解決するための手段】
ＳＤＨインタフェースを終端する機能を有するベースバンド処理部と変復調機能及び送受信機能を備えた無線送受信部を一体化したユニットを各現用回線と最低１個の予備回線に設け、また、所定の現用ユニットを予備ユニットに切り替えるスイッチを現用ユニットの有線側に設け、更に、各現用ユニット及び予備ユニットより障害情報を収集し、所定の論理に従ってユニット切替スイッチを駆動して現用ユニット／予備ユニットの切り替えを行う切替論理部を設けてＳＤＨ無線伝送装置を構成する。又、現用回線に対応して設けられる現用ユニットに、現用無線回線に発生した障害を検出する無線回線障害検出部、現用無線回線と予備無線回線の同期を検出する同期検出回路、予備無線回線からの信号と現用無線回線からの信号のいずれか一方の信号を選択する受信スイッチ、ユニットの切替が必要となる障害を検出するユニット障害検出部を設ける。切替論理部は、（１）  無線回線に障害が発生し、現用無線回線と予備無線回線の同期がとれたとき、受信スイッチを制御し、予備無線回線からの信号を選択してベースバンド処理部に無瞬断で入力し、（２）  ユニット切替を必要とする障害が発生したときユニット切替スイッチを制御して現用ユニットと予備ユニットの切り替えを行う。
【００１８】
以上のようにすれば、ベースバンド処理部や変復調部、送受信部を一体化してハードウェアのコストダウンや省スペース化を図ることができる。又、現用信号と予備信号の同期を取って無瞬断切替ができる。
又、現用ユニットに、現用の無線回線のみより信号を送信し、あるいは、現用及び予備の無線回線を介して同時に信号を送信する送信用スイッチを設け、切替論理部は無線回線に障害が発生したとき、対向局の切替論理部に現用及び予備の無線回線に同時に信号を送信するよう要求し、対向局の切替論理部は該要求により対向局の現用ユニットに設けた送信用スイッチを切り替えて現用及び予備の無線回線に同時に信号を送信する。以上のようにすれば、無線回線障害時に対向局より予備及び現用回線から信号を受信できるため、これらの同期を取って無瞬断切り替えが可能になる。
【００１９】
又、現用ユニットに、無線伝送装置への実装／非実装を検出するユニット実装検出部を設け、切替論理部はユニットの非実装によりユニット切替スイッチを制御して現用ユニットと予備ユニットの切り替えを行う。このようにすれば、ユニット交換時に自動的に予備ユニットに切り替えることができ、ユニット交換操作を簡単に行うことができる。
又、現用ユニットにおける前記受信用スイッチの信号下流方向のポイントに回線障害検出部を設け、無線回線の障害による無瞬断切替後にこの回線障害検出部で回線障害が検出された時、切替論理部は現用ユニッに障害があるものとみなしてユニット切替スイッチを制御して現用ユニットと予備ユニットの切り替えを行う。このようにすれば、予備回線に切り替えて切替スイッチ以降のポイントで回線障害が検出された場合でも、ユニット切り替えを行って通信を継続することができる。
【００２０】
又、ＳＤＨ無線伝送装置に、無線伝送装置の各ユニットの状態を収集し、該収集情報にユニットの属する伝送路の識別子を付して上位装置に報告する監視制御部を設ける。監視制御部は、識別子とユニットの対応を保持するテーブルを備え、現用ユニットを予備ユニットへ切り替えたとき、それまでの識別子に予備ユニットが対応するように前記テーブル内容を変更する。このようにすれば、現用／予備のユニット切替が発生しても、予備ユニットと切替前の現用ユニットは同一伝送路のユニットであるとみなし、各ユニットの状態情報に付す識別子を同一にでき、状態管理を容易にできる。
【００２１】
又、ＳＤＨ無線伝送装置に、上位装置からのコマンドを受信し、該コマンドによる設定情報を所定のユニットに書き込む監視制御部を設ける。監視制御部は、上位装置からのコマンドを受信すると、現用ユニットから予備ユニットへのユニット切替の有無及びその現用ユニット番号を調べ、ユニット切替中でなければ現用ユニットのみに設定情報を書き込み、ユニット切替中であれば予備ユニットと切替前の現用ユニットの両方へ設定情報を書込む。このようにすれば、現用ユニットが復旧して予備ユニットから現用ユニットに切り戻す際に、設定情報を予備ユニットから現用ユニットに複写する必要がないため、短時間で現用ユニットに切り戻すことができる。
【００２２】
又、監視制御部は、現用から予備へのユニット切替時に現用ユニットと予備ユニットの設定情報を比較し、不一致であれば、設定情報を現用ユニットから予備ユニットに複写し、一致すれば複写しない。このようにすれば、現用ユニットに障害が発生して現用ユニットから予備ユニットに切り替える際、設定情報が一致すれば複写する必要がないため切り替え時間を短縮できる。
【００２３】
【発明の実施の形態】
（Ａ）同期無瞬断切替の第１実施例
（ａ）全体の構成
図１は本発明の同期無瞬断切替を実現するＳＤＨ無線伝送装置の構成図である。図中、ＭＳＴＵ０〜ＭＳＴＵ７はベースバンド処理部や変復調部及び無線送受信部を一体化したユニットであり、ユニットＭＳＴＵ１〜ＭＳＴＵｎは伝送回線１〜伝送回線ｎに応じて設けられた現用ユニット、ユニットＭＳＴＵ０は予備用に設けられた予備ユニットである。ＢＲＮＥＴは受信フィルタ及びアンテナ共用器、ＡＮＴはアンテナ、ＢＳＷ１〜ＢＳＷ７は各現用ユニットＭＳＴＵ１〜ＭＳＴＵｎの外側伝送路側に設けられたユニット切替スイッチであり、現用／予備のユニット切り替えを行うもの、ＵＳＷ１〜ＵＳＷ７は各現用ユニットＭＳＴＵ１〜ＭＳＴＵｎの内部無線側に設けられた無瞬断切替用スイッチで、無線回線の現用／予備の切り替えを無瞬断で行うものである。ＳＵＢＲは予備ユニットＭＳＴＵ０内に設けられた合成分岐部であり、ユニット切替スイッチＢＳＷ１〜ＢＳＷ７を介して入力する信号と無瞬断切替用スイッチＵＳＷ１〜ＵＳＷ７を介して入力する送信信号を選択してアンテナ側に送出すると共に、アンテナ側よりの受信信号をユニット切替スイッチＢＳＷ１〜ＢＳＷ７側及び無瞬断切替用スイッチＵＳＷ１〜ＵＳＷ７側に分配する。
【００２４】
ＲＰＳは無線切替論理部であり、各ユニット切替スイッチＢＳＷ１〜ＢＳＷ７及び各ユニットＭＳＴＵ０〜ＭＳＴＵ７と接続され、▲１▼無線回線障害時に所定の論理に従ってスイッチＵＳＷ１〜ＵＳＷ７を制御して無瞬断切替制御を行うと共に、▲２▼ユニット障害時あるいあユニット非実装時等において所定の論理に従って、スイッチＢＳＷ１〜ＢＳＷ７を制御してユニットの現用／予備の切り替えを行う。たとえば、切替論理部ＲＰＳは、（１）  伝送回線１の無線回線に障害が発生し、現用無線回線と予備無線回線の同期がとれたとき、無瞬断切替用スイッチＵＳＷ１の受信スイッチ（図示せず）を制御し、予備無線回線からの信号を選択してベースバンド処理部に無瞬断で入力し（図中の▲１▼参照）、（２）  現用ユニットＭＳＴＵ１の切替を必要とする障害が発生したときユニット切替スイッチＢＳＷ１を制御して現用ユニットＭＳＴＵ１と予備ユニットＭＳＴＵ０の切り替えを行う（図中▲２▼参照）。ＳＣＳＵは設定／監視制御部であり、各ユニットＭＳＴＵ０〜ＭＳＴＵ７と通信可能に接続され、上位装置から設定情報を受信し、該設定情報を所定のユニットに書き込んだり、ユニットの現用／予備切替時に現用ユニットの設定情報を予備ユニットに複写する機能を有している。
【００２５】
図２は図１の無線伝送装置の機能ブロック図であり、図１の各部と対応する部分には同一符号を付している。３１は有線側機能部、３２は無線側機能部である。有線側のＲＰＳは所定の論理に従ってスイッチＢＳＷ１〜ＢＳＷ７を制御してユニットの現用／予備の切り替えを行う無線切替論理部、無線側のＲＰＳは所定の論理に従ってスイッチＵＳＷ１〜ＵＳＷ７を制御して無線回線の現用／予備の切り替えを行う無線切替論理部である。又、ＳＰＩはＳＤＨ物理インタフェース部、ＲＳＴは中継セクション終端部、ＭＳＴは多重セクション終端部、ＭＳＡは多重セクションアダプテーション部、ＲＳＰＩは無線ＳＤＨ物理インタフェース部である。本発明では、従来の無線伝送装置（図２７、図２８）に比べて無線側の無瞬断切替用スイッチＵＳＷｉ、無線切替論理部ＲＰＳが追加されている点で相違する。
【００２６】
（ｂ）ユニット切替用スイッチの構成
図３はユニット切替用スイッチＢＳＷｉ（ｉ＝１〜ｎ）の構成図であり、図１と同一部分には同一符号を付している。ＭＳＴＵｉは第ｉ伝送回線の現用ユニット、ＭＳＴＵ０は予備ユニット、ＲＰＳは切替論理部であり、現用ユニットＭＳＴＵｉよりユニットアラーム信号ＳＵＡＬやユニット実装中信号ＳＵＩＭが入力される。ＢＳＷｉは現用ユニットＭＳＴＵｉの外側に設けられたユニット切替スイッチであり、ユニットＭＳＴＵｉの障害発生あるいはユニットＭＳＴＵｉの未実装状態の発生により、現用より予備にユニットを切り替えて同時に上り／下りの双方向の切り替えを行うものである。
ユニット切替スイッチＢＳＷｉには受信側スイッチＢＳＷ−Ｒと送信側スイッチＢＳＷ−Ｔが設けられ、正常状態では図示する位置にあり、上り方向（ＧＯ方向）のＳＴＭ信号はスイッチＢＳＷ−Ｔをスルーして現用ユニットＭＳＴＵｉに入力する。又、現用ユニットＭＳＴＵｉからの下り方向（ＲＥＴＵＲＮ方向）のＳＴＭ信号はスイッチＢＳＷ−Ｒをスルーして伝送路に送出する。
【００２７】
一方、ユニット障害が発生すれば、あるいはユニット非実装状態になると（図中▲１▼）、切替論理部ＲＰＳは対向局に現用無線回線及び予備無線回線に同時に信号を送信するよう依頼する（送並要求▲２▼）。対向局は送並要求により送並制御実施後、送並完了応答を送信する（▲３▼）。この応答の受信により、切替論理部ＲＰＳはＢＳＷ受信切替指示を出力して受信スイッチＢＳＷ−Ｒを点線側に切り替え（▲４▼）、送並により予備回線より送られてくる信号を予備ユニットＭＳＴＵ０を介して受信して第ｉ伝送路に送出する（▲５▼）。又、前記応答の受信後、ＢＳＷ送信切替指示により送信スイッチＢＳＷ−Ｔを点線側に切り替え（▲６▼）、第ｉ伝送路から入力するＳＴＭ信号を現用無線回線及び予備無線回線に送並する（▲７▼）。しかる後、対向局に応答／切替信号を送る。これにより、対向局は受信スイッチを切り替えて予備回線からの信号を受信して伝送路に送出することになる。
【００２８】
（ｃ）無瞬断切替用スイッチの構成
図４は無瞬断切替用スイッチＵＳＷｉ（ｉ＝１〜ｎ）の構成図であり、図１、図２と同一部分には同一符号を付している。図中、ＲＳＰＩｉは現用ユニットの無線側ＳＤＨ物理インタフェース、ＲＳＰＩ０は予備ユニットの無線側ＳＤＨ物理インタフェース、ＳＵＢＲは予備ユニットの合成分岐部、ＲＰＳは切替論理部、ＵＳＷｉは無瞬断切替用スイッチ部である。
【００２９】
無瞬断切替用スイッチＵＳＷｉにおいて、ＵＳＷ−Ｒは受信用無瞬断切替スイッチ、ＵＳＷ−Ｔは送信用無瞬断切替スイッチ、ＬＡＬＤ１は受信無線回線の障害を検出して受信回線アラーム信号ＳＬＡＬを切替論理部ＲＰＳに入力する第１の回線アラーム検出部、ＵＡＬＤはユニット内の障害を検出してユニットアラームＳＵＡＬを切替論理部ＲＰＳに入力するユニットアラーム検出部、ＵＭＩＤはユニットが装置に実装されていることを示すユニット実装中信号ＳＵＩＭを切替論理部ＲＰＳに入力するユニット実装信号出力部、ＳＹＮＣは現用信号と予備信号の同期を検出し予備・現用同期信号ＳＳＹＣを出力する同期検出回路、ＬＡＬＤ２は受信用無瞬断切替スイッチＵＳＷ−Ｒの下流側に設けられ片方向無瞬断切替後の回線障害を検出してユニットアラームＳＵＡＬを切替論理部ＲＰＳに入力する第２の回線障害検出部である。
【００３０】
受信用無瞬断切替スイッチＵＳＷ−Ｒ及び送信用無瞬断切替スイッチＵＳＷ−Ｔは共に正常状態において図示する位置にある。従って、無線ＳＤＨ物理インタフェースＲＳＰＩｉを介して対向局より送られてきた下り方向（ＲＥＴＵＲＮ方向）の信号は、受信用切替スイッチＵＳＷ−Ｒをスルーして送出される。又、上り方向（ＧＯ方向）のＳＴＭ信号はスイッチの切替に関係なく無瞬断切替用スイッチＵＳＷｉをスルーして無線ＳＤＨ物理インタフェースＲＳＰＩｉを介して対向局に送出される。又、切替論理部ＲＰＳは、無線ＳＤＨ物理インタフェースＲＳＰＩ０→無線予備回線を介してあるいは他の現用回線を介して対向局の切替論理部ＲＰＳと通信できるようになっている。
【００３１】
かかる状態で、下り方向（ＲＥＴＵＲＮ方向）の無線回線に障害が発生すると、第１の回線アラーム検出部ＬＡＬＤ１が該障害を検出して受信回線アラーム信号ＳＬＡＬを切替論理部ＲＰＳに入力する（図中▲１▼）。切替論理部ＲＰＳは、受信回線アラーム信号ＳＬＡＬを受信すると対向装置に現用無線回線及び予備無線回線に同時に信号を送信するよう依頼する（送並要求▲２▼）。対向局は送並要求により送並制御実施後、送並完了応答を送信する（▲３▼）。この応答を受信すると、切替論理部ＲＰＳは同期検出回路ＳＹＮＣから出力される予備・現用同期信号ＳＳＹＣに基づいて現用信号と予備信号の同期を確認し（同期確認▲４▼）、ＵＳＷ受信切替指示を出力して受信用切替スイッチＵＳＷ−Ｒを点線側に切り替え（受信用切替スイッチ駆動▲５▼）、送並により予備回線より送られてくる信号を無線ＳＤＨ物理インタフェースＲＳＰＩ０→合成分岐部ＳＵＢＲ介して受信して第ｉ伝送路に送出する（片方向切替完了▲６▼）。
【００３２】
（ｄ）切替論理部ＲＰＳ
図５は切替論理部ＲＰＳに入出力する信号の説明図である。切替論理部ＲＰＳに入力する信号としては、（１）  ユニット実装中信号ＳＵＩＭ、（２）  ユニットアラーム信号ＳＵＡＬ、（３）  同期検出信号ＳＳＹＣ、（４）  受信回線アラーム信号ＳＬＡＬがあり、これらの信号はすべての現用ユニットから入力する。又、切替論理部ＲＰＳから出力する信号としては、（１）  ＢＳＷ受信切替指示信号ＢＳＷ−ＲＤＲＶ、（２）  ＢＳＷ送信切替指示信号ＢＳＷ−ＴＤＲＶ、（３）  ＵＳＷ受信切替指示信号ＵＳＷ−ＲＤＲＶ、（４）  ＵＳＷ送信切替指示信号ＵＳＷ−ＴＤＲＶ）があり、切替論理部ＲＰＳはこれら信号を各現用ユニットへ出力する。又、対向局の切替論理部ＲＰＳとの間で送受する信号があり、これらの信号の送受は予備の無線回線などを介して行われる。更に、パソコンあるいは外部ディスプレイから入力する切替制御指示信号もある。
【００３３】
（ｅ）ユニット切替スイッチＢＳＷの切替シーケンス
図６は自局のユニット内でＭＳＴＵアラーム（ユニットアラーム）が発生した場合における自局と対向局との両方向切替シーケンスである。
図中、ＢＳＷ−ＴＤＲＶ  ＮＯ．  は相手局への送信スイッチの切替要求、ＰＲＯＶは現用ユニットより予備ユニットに設定情報を複写する処理である。複写処理が終了してから（ＰＲＯＶ完了）、自局及び対向局の送受信スイッチＢＳＷ−Ｒ，  ＢＳＷ−Ｔの切替制御が可能になる。＆は論理積処理であり、論理積の各入力条件が成立したときに引き続く処理が実行可能になる。ＢＳＷ−ＴＤＲＶ  は送信スイッチの切替指示、ＢＳＷ−ＴＡＮＳ  は送信スイッチの切替完了応答、ＢＳＷ−ＴＡＮＳ  ＮＯ．  は相手局への送信スイッチ切替完了応答、  ＢＳＷ−ＲＤＲＶ  は受信スイッチの切替指示、ＢＳＷ−ＲＡＮＳは受信スイッチ切替完了応答である。
【００３４】
第ｉ伝送回線の現用ユニットにユニット障害（ＭＳＴＵアラーム）が発生すると、自局（第１の局）の切替論理部ＲＰＳは対向局に送並要求（送信スイッチの切替要求ＢＳＷ−ＴＤＲＶ  ＮＯ．）を送る。対向局（第２の局）の切替論理部ＲＰＳはこの送並要求を受信すると監視制御部ＳＶに切替通知を入力すると共に、相手局に送並要求（送信スイッチの切替要求ＢＳＷ−ＴＤＲＶ  ＮＯ．）を折り返す。第１の局はこの送並要求により自局の監視制御部ＳＶに切替通知を入力する。
以上により、各局の監視制御部ＳＶは第ｉ伝送回線の現用ユニットに設定してある設定情報を予備ユニットに複写し、ＰＲＯＶ完了信号を出力する（ＰＲＯＶ処理）。
対向局（第２の局）の切替論理部ＲＰＳは、設定情報の複写完了（ＰＲＯＶ完了）により、送信スイッチＢＳＷ−Ｔを駆動して送並状態にし、送信スイッチ切替完了（送並完了）を相手局（第１の局）に通知する。この送並完了信号（ＧＯ  ＢＳＷ−Ｔ  ＡＮＳ  ＮＯ．）により、送並要求を出した第１の局の切替論理部ＲＰＳは自局の受信スイッチＢＳＷ−Ｒを切替駆動する。以上により、第１の局は以後対向局からの上り信号（ＧＯ方向信号）を予備ユニットを介して受信する。
【００３５】
又、以上の処理と並行して、自局（第１の局）はＰＲＯＶ完了信号の発生により送信スイッチＢＳＷ−Ｔの切り替えを行って下り方向（ＲＥＴＵＲＮ方向）に対して送並状態にし、送信スイッチＢＳＷ−Ｔの切替完了信号（送並完了）を対向局に送出する。これにより、対向局（第２の局）の切替論理部ＲＰＳは受信スイッチＢＳＷ−Ｒを切替駆動する。この結果、第１の局は対向局への下り信号（ＲＥＴＵＲＮ方向信号）を予備ユニットを介して送信し、対向局は予備回線を介して信号を受信する。
【００３６】
（ｆ）無瞬断切替スイッチＵＳＷの切替シーケンス
図７は受信無線回線で回線障害が発生した場合における自局と対向局との片方向切替シーケンスである。
図中、ＵＳＷ−ＴＤＲＶ  ＮＯ．  は相手局への送信用切替スイッチの切替要求、ＵＳＷ−ＴＤＲＶ  は送信用切替スイッチの切替指示、ＵＳＷ−ＴＡＮＳ  は送信用切替スイッチの切替完了応答、ＵＳＷ−ＴＡＮＳ  ＮＯ．  は相手局への送信用切替スイッチの切替完了応答、ＵＳＷ−ＲＤＲＶ  は受信用切替スイッチの切替指示、ＵＳＷ−ＲＡＮＳは受信用切替スイッチの切替完了応答である。
下り方向（ＲＥＴＵＲＮ方向）の無線回線に障害が発生すると切替論理部ＲＰＳは相手局に送並要求（送信用切替スイッチの切替要求ＵＳＷ−ＴＤＲＶ  ＮＯ．）を送る。対向局の切替論理部ＲＰＳは送並要求を受信すると送信用切替スイッチＵＳＷ−Ｔを駆動して送並状態にし、送信用切替スイッチの切替完了信号（送並完了）ＵＳＷ−ＴＡＮＳ  ＮＯ．を相手局に通知する。この切替完了信号（ＵＳＷ−Ｔ  ＡＮＳ  ＮＯ．）により、送並要求を出した局の切替論理部ＲＰＳは自局の受信用切替スイッチＵＳＷ−Ｒを切替駆動する。以上により、以後対向局からの下り信号を予備ユニットを介して受信する。
【００３７】
（ｇ）無瞬断切替後の回線障害発生時のシーケンス
図８は無瞬断切替後のＢＢ回線障害発生時のシーケンス説明図である。
無線回線の障害により、図７のシーケンスに従って現用信号と予備信号の同期を取って無瞬断で受信用切替スイッチＵＳＷ−Ｒ（図４参照）を切り替える。
しかる後、第２の回線アラーム検出部ＬＡＬＤ２が回線アラーム（ベースバンド回線アラーム）を検出すると、切替論理部ＲＰＳは現用ユニット内で障害が発生したものと見做し、図６に示したＢＳＷ切替シーケンスを実行する。すなわち、無線回線の障害による同期切替後にＢＢ回線障害が発生すれば、切替論理部ＲＰＳは現用ユニッに障害があるものとみなしてユニット切替スイッチＢＳＷを制御して現用ユニットと予備ユニットの切り替えを行って通信を継続する。
【００３８】
（ｉ）第１実施例の作用効果
以上、第１実施例によれば、▲１▼無線回線エラー発生時の片方向無瞬断切替と▲２▼ユニット故障発生時及びユニット未実装時のユニット切替による双方向切替が可能になる。
又、ＵＳＷ無瞬断切替後にＢＢ回線障害が検出された場合、ユニット内に障害が発生しているものとしてＢＳＷユニット切り替えを行って通信を継続することができる。
又、ユニット切替スイッチＢＳＷで自動的に同時に双方向切り替えを行なうことにより、従来のように片方向のみしか切り替えていない時にユニットの交換をしてしまうミスオペレーションを無くすこともできる。
又、稀にしか利用されないユニットの交換時はＢＳＷ切り替えを行い、フェージング等の頻繁におこる回線品質劣化時はＵＳＷ切り替えを行うというように切替スイッチを使い分ける事が可能になる。
又、頻繁に起こる回線品質劣化時はＵＳＷ片方向切り替えをおこなうことにより、逆方向の予備回線（ｐｒｏｔｅｃｔｕｉｏｎ回線）は空きにしておいて、他回線の救済に利用できるというメリットがある。
又、ユニットの障害時の自動切り替えを実現することにより、メンテナンス時のユニット切り替えだけでなく、異常時に自動的に切り替えることができる。
【００３９】
（Ｂ）識別子を同一にする実施例
図２５、図２６に示した従来の第１の無線伝送装置では、無線送受信部とＳＤＨベースバンド処理部が分割されており、現用／予備の無線回線の切替（ＲＰＳ）はファンクションブロック上において無線側の中継セクション終端部ＲＳＴ以降で行なわれていた。このため、伝送路を構成する各部（ＭＳＡ／ＭＳＴ／ＲＳＴ）の状態情報は、無線切替に関係無く常に同一の識別子（伝送路を識別するためのもの）を付されて上位装置に送出される。これに対し、図２７、図２８に示した従来の第２の無線伝送装置では、無線送受信部とＳＤＨベースバンド処理部が一体に構成され、現用／予備の無線回線の切替（ＰＲＳ）はファンクションブロック上において有線側のＳＤＨ物理インタフェースＳＰＩの外側で行われる。このため、伝送路を構成する各部（ＭＳＡ／ＭＳＴ／ＲＳＴ）の状態情報は無線切替によって発生元ユニットが変わり、切替前と切替後では異なる識別子を付されて上位装置に送出される。ネットワークの監視を行なう場合、伝送路はその伝送媒体を意識せず、ｅｎｄ  ｔｏ  ｅｎｄの１本の土管と見なすことができ、無線装置内でユニットの切り換えを行なってもネットワークとしてみれば同じ経路でデータが流れていることになる。従って、無線伝送装置内で現用／予備のユニット切替が発生しても、状態情報に付す識別子を同一にでき、このようにすれば管理が容易になる。
【００４０】
（ａ）全体の構成
図９はユニットの現用、予備を切り替えても、状態情報に付す識別子を同一にするＳＤＨ無線伝送装置の構成図である。
図中、ＭＳＴＵ０〜ＭＳＴＵ７はベースバンド処理部や変復調部及び無線送受信部を一体化したユニットであり、ユニットＭＳＴＵ１〜ＭＳＴＵｎは伝送回線１〜伝送回線ｎに応じて設けられた現用ユニット、ユニットＭＳＴＵ０は予備用に設けられた予備ユニットである。ＢＲＮＥＴは受信フィルタ及びアンテナ共用器、ＡＮＴはアンテナ、ＳＷ１〜ＳＷ７は各現用ユニットＭＳＴＵ１〜ＭＳＴＵｎの外側に設けられた切替スイッチであり、現用／予備のユニット切り替えを行うもの、ＲＰＳは無線切替論理部であり、各切替スイッチＳＷ１〜ＳＷ７及び各ユニットＭＳＴＵ０〜ＭＳＴＵ７と接続され、ユニット障害時あるいはユニット非実装時等において所定の論理に従って、スイッチＳＷ１〜ＳＷ７を制御してユニットの現用／予備の切り替えを行う。たとえば、切替論理部ＲＰＳは、現用ユニットＭＳＴＵ１の切替を必要とする障害が発生したとき切替スイッチＳＷ１を制御して現用ユニットＭＳＴＵ１と予備ユニットＭＳＴＵ０の切り替えを行う。
【００４１】
ＳＣＳＵは設定／監視制御部、ＯＰＳは上位装置であり、設定／監視制御部ＳＣＳＵは、切替論理部ＲＰＳ、上位装置ＯＰＳ、各ユニットＭＳＴＵ０〜ＭＳＴＵ７などと通信可能に接続されている。設定／監視制御部ＳＣＳＵは、（１）  上位装置ＯＰＳから設定情報／制御情報を受信して所定のユニット及び切替論理部ＲＰＳに入力すると共に、（２）  各ユニットＭＳＴＵ０〜ＭＳＴＵ７などの状態を収集し、収集情報にユニットが属する伝送路（伝送回線）の識別子を付して上位装置ＯＰＳに通知する。又、設定／監視制御部ＳＣＳＵは、（３）  切替論理部ＲＰＳから現用／予備のユニット切替通知を受信した時、このユニット切替で状態情報に付す識別子が変化しないように制御を行う。すなわち、設定／監視制御部ＳＣＳＵは切替論理部ＲＰＳから予備ユニットへの切替完了が通知されると、以後、予備ユニットから収集した状態情報を切替前と同一の伝送回線の情報として上位装置ＯＰＳへ通知する処理を行う。これにより、上位装置ＯＰＳから見ればユニット切替が起こっても回線情報としては、同じ名前（識別子）で通知されるので無線切替を意識せずネットワーク監視が可能となる。
上位装置ＯＰＳは、設定／監視制御部ＳＣＳＵにセクションオーバヘッドＳＯＨの使用方法などの各種情報を設定あるいは変更したり、設定／監視制御部ＳＣＳＵより状態情報を取り込んで伝送システム全体の監視制御を行う。
【００４２】
（ｂ）現用／予備ユニットの構成
図１０は現用及び予備ユニットＭＳＴＵｉ（ｉ＝０〜７）の構成図で、４１は有線側機能部、４２は無線側機能部である。各機能部において、ＳＰＩはＳＤＨ物理インタフェース部、ＲＳＴは中継セクション終端部、ＭＳＴは多重セクション終端部、ＭＳＡは多重セクションアダプテーション部、ＲＳＰＩは無線側のＳＤＨ物理インタフェース部である。又、ＳＩＮＴはシリアルインタフェース部で、設定／監視制御部ＳＣＳＵとの間でシリアルインタフェースに従って情報の送受を行い、各部とバス接続されている。
【００４３】
（ｃ）設定／監視制御部の構成
図１１は設定／監視制御部ＳＣＳＵの構成図である。ＳＩＮＴはシリアルインタフェース部、ＳＶＣは設定／監視制御を行う監視制御処理部、ＣＭＰは上位装置ＯＰＳとの間で通信制御を行うマイコン構成の通信処理部、ＭＭはメモリであり、上位装置ＯＰＳから各ユニットＭＳＴＵｉ（ｉ＝０〜７）に設定した設定情報や各ユニットから収集した状態情報を記憶すると共に、ユニット切替で識別子が変化しないようにするためのテーブルＴＢＬを記憶するものである。シリアルインタフェース部ＳＩＮＴは各ユニットとの間でシリアルインタフェースに従って情報の送受を行う。
監視制御処理部ＳＶＣは、ＣＰＵ／ＲＯＭ／ＲＡＭを備えたマイコンで構成され、（１）上位装置から受信した設定情報／制御情報を所定のユニットや切替論理部ＲＰＳに入力する制御、（２）  各ユニットや切替スイッチから状態情報を収集する制御、（３）現用／予備のユニット切替時に状態情報に付す識別子が変化しないようにする制御、（４）  収集情報に識別子を付して上位装置ＯＰＳに通知する制御、（５）現用／予備のユニット切替時に現用ユニットの設定情報を予備ユニットに複写する制御などを行う。
【００４４】
（ｄ）テーブル
図１２はテーブル説明図であり、伝送路（伝送回線）を識別するための識別子と、各伝送路の状態情報を収集するユニットのＩ／Ｏアドレスの対応関係を記憶する。ユニット切替のない状態では（図１２（ａ）参照）、伝送路１〜７の識別子ＩＬ１〜ＩＬ７に対応させて現用ユニットＭＳＴＵ１〜ＭＳＴＵ７のＩ／Ｏアドレスが伝送路１〜７の状態情報収集アドレスとして記憶されている。従って、監視制御処理部ＳＶＣはこのテーブルを参照して各ユニットＭＳＴＵ１〜ＭＳＴＵ７より状態情報を収集し、対応する識別子ＩＬ１〜ＩＬ７を付して上位装置ＯＰＳに伝送する。
かかる状態において、現用ユニットＭＳＴＵ３に障害が発生し、現用ユニットＭＳＴＵ３から予備ユニットＭＳＴＵ０への切り替えが発生すると、テーブルＴＢＬの記憶内容は図１２（ｂ）に示すように更新される。すなわち、伝送路３の識別子ＩＬ３に対応して予備ユニットのＩ／Ｏアドレスが記憶される。これにより、監視制御処理部ＳＶＣは以後伝送路３の状態情報を予備ユニットＭＳＴＵ０より収集し、対応する識別子ＩＬ３を付して上位装置ＯＰＳに伝送する。すなわち、ユニットが現用から予備に切り替わっても、切替前の現用ユニットから収集した状態情報と切替後の予備ユニットから収集した状態情報とに付す識別子を同一にできる。
【００４５】
（ｅ）監視制御処理部の識別子同一制御
図１３は監視制御処理部ＳＶＣの識別子同一制御処理の説明図である。
第ｉ伝送回線（チャンネル）のユニットに、あるいは、第ｉ無線回線に障害が発生すると、切替論理部ＲＰＳは切替スイッチＳＷｉを駆動して現用ユニットＭＳＴＵｉから予備ユニットＭＳＴＵ０に切り替える。スイッチＳＷｉより切替完了応答が発生すると、切替論理部ＲＰＳは、チャンネル番号（第ｉチャンネル）を含む切替完了通知を監視制御処理部ＳＶＣに送る。これにより、監視制御処理部ＳＶＣはテーブルＴＢＬを更新する。すなわち、監視制御処理部ＳＶＣは第ｉ伝送回線の識別子ＩＬｉに対応させて記憶されている第ｉ現用ユニットＭＳＴＵｉのＩ／Ｏアドレスを、予備ユニットＭＳＴＵ０のＩ／Ｏアドレスに書き替える。以後、監視制御処理部ＳＶＣは、第ｉ伝送回線（第ｉチャンネル）の状態情報を予備ユニットＭＳＴＵ０より収集し、対応する識別子ＩＬｉを付して上位装置ＯＰＳに伝送する。
【００４６】
これにより、上位装置ＯＰＳでの回線監視者はｅｎｄ  ｔｏ  ｅｎｄでの回線監視を行なえるため無線の切替状態を意識することが不要となる。
また、無線の切替状態も同時に監視可能となるので、無線回線保守者に対しては従来と変わらない監視形態を提供することができる。
以上では、第２実施例を第１実施例と独立に構成したが、第１、第２実施例を組み合わせて構成することもできる。
【００４７】
（Ｃ）切り戻し時間を短縮する第３実施例
（ａ）第３実施例の背景
ベースバンド処理部と無線送受信部が一体化した第１実施例の無線伝送装置において、設定／監視制御部ＳＣＳＵは、第ｉ伝送回線の現用／予備のユニット切替時に回線設定情報を現用ユニットＭＳＴＵｉから予備ユニットＭＳＴＵ０へ複写し、又、ユニット切替後の第ｉ伝送回線に対する設定情報の変更を予備ユニットＭＳＴＵ０に対して行う。
従って、現用ユニットＭＳＴＵｉの故障が復旧した場合、予備ユニットから現用ユニットに切り戻す前に、予備ユニットＭＳＴＵ０に設定されている設定情報を現用ユニットＭＳＴＵｉへ再度複写し直さなければならない。このため、回線切戻時間が長くなるという問題が生じる。そこで、切戻時間を短縮するために、ユニット切替中の設定情報の変更を不可とする無線伝送装置があるが、かかる方法では設定変更の柔軟性が失われる問題がある。
以上より、第３実施例では切戻時間の短縮と設定変更の柔軟性を両立する無線伝送装置を提供するものである。
【００４８】
（ｂ）第３実施例の概略
上記問題点を解決するため、ユニット切替え後、上位装置ＯＰＳ等の外部装置からの設定情報の変更操作に対し、設定／監視制御部ＳＣＳＵは設定情報を予備ユニットＭＳＴＵ０へ書き込む際、現用／予備の切替中であるかどうかを判別し、切替中であれば、予備ユニットＭＳＴＵ０と切替前の現用ユニットＭＳＴＵｉの両方に対して設定情報の書き込みを行なう。このようにすれば、常に、予備ユニットＭＳＴＵ０と切替前の現用ユニットＭＳＴＵｉの設定情報は一致するため、切り戻しに際して複写する必要がなく、切り戻し時間を短縮できる。
【００４９】
図１４は以上を実現するための設定／監視制御部ＳＣＳＵの機能ブロック図であり、ＣＭＲは上位装置からコマンド（設定情報）を受信するコマンド受信部、ＭＭは現用／予備切替中であるか及び切替中のの現用ユニットＮＯ．などを記憶する記憶部、ＳＩＷＤは上位装置より入力する設定情報を予備ユニットＭＳＴＵ０及び現用ユニットＭＳＴＵｉの両方に書き込むかを判断する設定情報書き込み判別部、ＳＩＷＴは設定情報を所定のユニット書き込む設定書き込み処理部である。
現用から予備へのユニット切替が発生すると、切替論理部ＲＰＳは設定／監視制御部ＳＣＳＵに、ＳＷ駆動有と切替前の現用ユニットＮｏ．（＝伝送回線Ｎｏ．）を示す情報を入力する。これにより、設定／監視制御部ＳＣＳＵの設定情報書き込み判別部ＳＩＷＤは該切替情報（現用／予備切替中及び切替前の現用ユニットＮＯ．）を記憶部ＭＭに記憶する。かかる状態において、上位装置ＯＰＳなどの外部装置から所定伝送回線への設定情報を受信すると、設定情報書き込み判別部ＳＩＷＤは記憶内容を調べ、該伝送回線において現用／予備のユニット切替中であるか判断し、判断結果を設定書き込み処理部ＳＩＷＴに通知する。設定書き込み処理部ＳＩＷＴはユニット切替中でなければ、現用ユニットに対してのみ設定情報を書き込み、ユニット切替中であれば予備ユニットＭＳＴＵ０と切替前の現用ユニットＭＳＴＵｉの両方に対して設定情報の書き込みを行なう。
【００５０】
尚、現用ユニットが復旧して予備ユニットから現用ユニット切り戻しが発生すると、切替論理部ＲＰＳは設定／監視制御部ＳＣＳＵに切り戻し完了と現用ユニットＮｏ．（＝伝送回線Ｎｏ．）を示す情報を入力する。これにより、設定／監視制御部ＳＣＳＵの設定情報書き込み判別部ＳＩＷＤは記憶部ＭＭに記憶されている現用／予備切替中情報及び切替前の現用ユニットＮＯ．を削除する。
【００５１】
（ｃ）第３実施例の無線伝送装置の構成
図１５は第３実施例の無線伝送装置の構成図であり、図１の第１実施例と同一部分には同一符号を付している。ＭＳＴＵ０〜ＭＳＴＵ７はベースバンド処理部や変復調部、送受信部を一体化したユニットであり、ユニットＭＳＴＵ１〜ＭＳＴＵｎは伝送回線１〜伝送回線ｎに応じて設けられた現用ユニット、ユニットＭＳＴＵ０は予備用に設けられた予備ユニットである。ＢＲＮＥＴは受信フィルタ及びアンテナ共用器、ＡＮＴはアンテナ、ＢＳＷ１〜ＢＳＷ７は各現用ユニットＭＳＴＵ１〜ＭＳＴＵｎの外側伝送路側に設けられたユニット切替スイッチで、現用／予備のユニット切り替えを行うもの、ＵＳＷ１〜ＵＳＷ７は各現用ユニットＭＳＴＵ１〜ＭＳＴＵｎの内部無線側に設けられた無瞬断切替用スイッチで、無線回線の現用／予備の切り替えを無瞬断で行うものである。ＲＰＳは無線切替論理部であり所定の論理に従ってユニット切替スイッチＢＳＷ１〜ＢＳＷ７を駆動してユニット障害時におけるユニット切替制御を実行すると共に、無瞬断切替用スイッチＵＳＷ１〜ＵＳＷ７を駆動して無線回線障害時における無瞬断切替制御を実行する。ＳＣＳＵは設定／監視制御部、ＯＰＳは上位装置である。設定／監視制御部ＳＣＳＵは、各ユニットＭＳＴＵ０〜ＭＳＴＵ７と通信可能に接続され、上位装置から設定情報を受信し、該設定情報を所定のユニットに書き込んだり、ユニットの現用／予備切替時に現用ユニットの設定情報を予備ユニットに複写する機能を有している。
【００５２】
設定／監視制御部ＳＣＳＵにおいて、ＳＩＮＴはシリアルインタフェース部、ＳＶＣは設定／監視制御を行う監視制御処理部、ＣＭＰは上位装置ＯＰＳとの間で通信制御を行うマイコン構成の通信処理部、ＭＭはメモリで、上位装置ＯＰＳから各伝送回線に設定した設定情報や各ユニットから収集した状態情報、及び切替論理部ＲＰＳから入力するユニット切替中／切替前ユニットＮＯ．などを記憶する。
ＳＤＨフォーマットにおけるＳＯＨ（Ｓｅｃｔｉｏｎ  Ｏｖｅｒｈｅａｄ）バイトの使用方法等は、ユーザによって異なる場合があり、このため現用ユニットＭＳＴＵに種々のＳＯＨの使用方法を設定できるようになっている。この設定値は上位装置ＯＰＳから設定／監視制御部ＳＣＳＵに入力され、メモリＭＭに記憶され、現用ユニットが交換された場合、あるいは現用／予備のユニット切替が行われた場合、設定値を新ユニットあるいは予備ユニットに再設定あるいは複写する様になっている。
【００５３】
図１６は監視制御処理部ＳＶＣの設定情報処理フローである。
切替論理部ＲＰＳから切替情報あるいは切り戻し情報を受信したかチェックし（ステップ１０１）、受信していれば切替情報であるか切り戻し情報であるかチェックし（ステップ１０２）、第ｉ回線の切替情報であれば、第ｉ回線ユニット切替中及び切替前ユニットＮＯ．をメモリＭＭに保存し（ステップ１０３）、第ｉ回線の切り戻し情報であれば第ｉ回線の切替情報をメモリＭＭより削除する（ステップ１０４）。
しかる後、あるいは、ステップ１０１で切替情報／切り戻し情報を受信していなければ、第ｉ伝送回線の設定情報を上位装置ＯＰＳから受信したかチェックする（ステップ１０５）。受信してなければステップ１０１に戻り以降の処理を繰り返し、受信していれば、メモリＭＭの記憶内容を参照して第ｉ伝送回線がユニット切替中であるかチェックする（ステップ１０６）。
第ｉ伝送回線がユニット切替中でなければ、第ｉ回線の現用ユニットのみに設定情報を書き込み（ステップ１０７）、ユニット切替中であれば予備ユニットと第ｉ回線の現用ユニットの両方に設定情報を書き込み（ステップ１０８）、ステップ１０１に戻り、以降の処理を繰り返す
【００５４】
（Ｄ）切り替え時間を短縮する第４実施例
（ａ）第４実施例の背景
ベースバンド処理部と無線送受信部が一体化した第１実施例の無線伝送装置において、設定／監視制御部ＳＣＳＵは、第ｉ伝送回線の現用／予備のユニット切替時に回線設定情報を現用ユニットＭＳＴＵｉから予備ユニットＭＳＴＵ０へ複写しなければならない。従来の無線伝送装置では、たとえ現用ユニットＭＳＴＵｉと予備ユニットＭＳＴＵ０のベースバンド処理部における設定が同一であっても、回線切替えが発生する度に、現用回線ＭＳＴＵｉから予備回線ＭＳＴＵ０へ設定情報を複写しなければならず、回線切替え時間の延長を招いている。
そこで、第４実施例では、切り替えようとする該当現用ユニットＭＳＴＵｉと予備ユニットＭＳＴＵ０の設定情報が同一であるかチェックし、同一であれば設定情報の複写処理を省略して回線切替時間の短縮を図る。これを実現するために、設定／監視制御部ＳＣＳＵの監視制御処理部ＳＶＣに、ユニット切替スイッチの状態が変化した時、現用ユニットＭＳＴＵｉの設定情報と予備ユニットＭＳＴＵ０の設定情報を比較判別する機能を設ける。
【００５５】
（ｂ）第４実施例の無線伝送装置の構成
図１７は第４実施例の無線伝送装置の構成図であり、図１の第１実施例と同一部分には同一符号を付している。ＭＳＴＵ０〜ＭＳＴＵ７はベースバンド処理部や変復調部、送受信部を一体化したユニットであり、ユニットＭＳＴＵ１〜ＭＳＴＵｎは伝送回線１〜伝送回線ｎに応じて設けられた現用ユニット、ユニットＭＳＴＵ０は予備用に設けられた予備ユニットである。ＢＲＮＥＴは受信フィルタ及びアンテナ共用器、ＡＮＴはアンテナ、ＢＳＷ１〜ＢＳＷ７は各現用ユニットＭＳＴＵ１〜ＭＳＴＵｎの外側伝送路側に設けられたユニット切替スイッチで、現用／予備のユニット切り替えを行うもの、ＵＳＷ１〜ＵＳＷ７は各現用ユニットＭＳＴＵ１〜ＭＳＴＵｎの内部無線側に設けられた無瞬断切替用スイッチで、無線回線の現用／予備の切り替えを無瞬断で行うものである。ＲＰＳは無線切替論理部であり所定の論理に従ってユニット切替スイッチＢＳＷ１〜ＢＳＷ７を駆動してユニット障害時におけるユニット切替制御を実行すると共に、無瞬断切替用スイッチＵＳＷ１〜ＵＳＷ７を駆動して無線回線障害時における無瞬断切替制御を実行する。ＳＣＳＵは設定／監視制御部、ＯＰＳは上位装置である。
設定／監視制御部ＳＣＳＵは、各ユニットＭＳＴＵ０〜ＭＳＴＵ７と通信可能に接続され、上位装置から設定情報を受信し、該設定情報を所定のユニットに書き込んだり、ユニットの現用／予備切替時に現用ユニットの設定情報を予備ユニットに複写する機能を有している。
設定／監視制御部ＳＣＳＵにおいて、ＳＩＮＴはシリアルインタフェース部、ＳＶＣは設定／監視制御を行う監視制御処理部、ＣＭＰは上位装置ＯＰＳとの間で通信制御を行うマイコン構成の通信処理部、ＭＭはメモリで、上位装置ＯＰＳから各伝送回線に設定した設定情報Ｓ０〜Ｓ７や各ユニットから収集した状態情報などを記憶する。
【００５６】
図１８は監視制御処理部ＳＶＣのユニット切替時における設定情報複写処理フローである。
第ｉ伝送回線の現用ユニットＭＳＴＵｉに障害が発生すると、切替論理部ＲＰＳは監視制御処理部ＳＶＣに第ｉ伝送回線（第ｉチャネル）のユニット切替を通知する。これにより、監視制御処理部ＳＶＣは、第ｉチャネル及び予備チャネルの設定情報をメモリＭＭから読み出し（ステップ２０１，２０２）、両チャネルの設定情報が同一であるかチェックし（ステップ２０３）、同一であれば複写処理を行うことなく切替論理部ＲＰＳに複写完了（ＰＲＯＶ完了）を通知する。しかし、両チャネルの設定情報が同一でなければ、予備ユニットＭＳＴＵ０に第ｉ回線の現用ユニットＭＳＴＵｉの設定値を複写し（ステップ２０４）、しかる後、切替論理部ＲＰＳに複写完了（ＰＲＯＶ完了）を通知する。
以上、本発明を実施例により説明したが、本発明は請求の範囲に記載した本発明の主旨に従い種々の変形が可能であり、本発明はこれらを排除するものではない。
【００５７】
【発明の効果】
以上本発明によれば、ベースバンド処理部や変復調部及び無線送受信部を一体化してハードウェアのコストダウンや省スペース化を図ることができる。又、無線回線障害時に現用信号と予備信号の同期を取って無瞬断切替を行うことができる。
又、本発明によれば、現用ユニットに、無線伝送装置への実装／非実装を検出するユニット実装検出部を設け、切替論理部はユニットの非実装によりユニット切替スイッチを制御して現用ユニットと予備ユニットの自動切り替えを行うようにしたから、、ユニット交換時に自動的に現用ユニットから予備ユニットに切り替えることができ、ユニット交換操作を簡単に行うことができる。
又、本発明によれば、無線回線の障害によリ無瞬断同期切替で予備回線に切り替えてもＢＢ回線障害が検出された場合、ユニット内に障害が発生しているものとしてユニット切り替えを行って通信を継続することができる。
【００５８】
又、本発明によれば、伝送路の識別子とユニットの対応を保持するテーブルを備え、現用ユニットを予備ユニットへ切り替えたとき、それまでの識別子に予備ユニットが対応するように前記テーブル内容を変更するようにしたから、現用／予備のユニット切替が発生しても、予備ユニットと切替前の現用ユニットは同一伝送路のユニットであるとみなし、各ユニットの状態情報に付す識別子を同一にでき、状態管理を容易にできる。すなわち、上位装置ＯＰＳでの回線監視者はエンドツーエンドでの回線監視を行なえ、このため無線の切替状態を意識する必要がなくなる。
【００５９】
又、本発明によれば、上位装置から第ｉ伝送回線の設定情報を受信したとき、現用／予備のユニット切替の有無及び切替前の現用ユニットＮＯ．を調べ、ユニット切替中でなければ現用ユニットのみに設定情報を書き込み、ユニット切替中であれば予備ユニットと切替前の現用ユニットの両方へ設定情報を書込むようにしたから、ユニット切替中において常に現用ユニットと予備ユニットの設定情報を一致させることができ、現用ユニットが復旧して予備ユニットから現用ユニットに切り戻す際に、設定情報を予備ユニットから現用ユニットに複写する必要がない。このため、短時間で現用ユニットに切り戻すことができる。又、切替中であるか否かに関係なく設定情報を各ユニットに書き込むことができる。
又、監視制御部は、現用から予備へのユニット切替時に現用ユニットと予備ユニットの設定情報を比較し、不一致であれば、設定情報を現用ユニットから予備ユニットに複写し、一致すれば複写しないようにしたから、現用ユニットに障害が発生して現用ユニットから予備ユニットに切り替える際、設定情報が同じであれば、ベースバンド処理部への設定情報のコピーを省略でき、回線切替え時間の短縮を図ることができる。
【図面の簡単な説明】
【図１】本発明の同期無瞬断切替を実現するＳＤＨ無線伝送装置の構成図である。
【図２】図１の無線伝送装置の機能ブロック図である。
【図３】ユニット切替用スイッチの構成図である。
【図４】無瞬断切替用スイッチの構成図である。
【図５】切替論理部の各種入出力信号説明図である。
【図６】ＢＳＷスイッチ切替シーケンス説明図である。
【図７】ＵＳＷスイッチ切替シーケンス説明図である。
【図８】ＵＳＷスイッチ切替後のＢＢ回線エラー発生時のシーケンス説明図である。
【図９】ユニットの現用／予備を切り替えても識別子を同一にする第２実施例の無線伝送装置の構成図である。
【図１０】第２実施例のユニットの構成図である。
【図１１】設定／監視制御部の構成図である。
【図１２】テーブル説明図である。
【図１３】監視制御処理部の処理説明図である。
【図１４】第３実施例における設定／監視制御の機能ブロック図である。
【図１５】第３実施例の無線伝送装置の構成図である。
【図１６】設定情報処理フロー図である。
【図１７】第４実施例の無線伝送装置の構成図である。
【図１８】ユニット切替時における設定情報複写処理フローである。
【図１９】ＳＤＨネットワークの構成図である。
【図２０】ＳＤＨのフレーム構造説明図である。
【図２１】多重セクション、中継セクションの説明図である。
【図２２】セクションオーバヘッドの構成説明図である。
【図２３】セクションオーバヘッドの各バイトの意味説明図である。
【図２４】Ｋ１，Ｋ２バイトの送受シーケンス説明図である。
【図２５】従来の無線伝送装置の構成図である。
【図２６】従来の無線伝送装置の機能ブロック図である。
【図２７】従来の別の無線伝送装置の構成図である。
【図２８】従来の別の無線伝送装置の機能ブロック図である。
【図２９】従来の現用／予備切替による状態情報管理の説明図である。
【図３０】現用／予備切替説明図である。
【図３１】従来の伝送路とユニットの対応説明図である。
【符号の説明】
ＭＳＴＵ１〜ＭＳＴＵｎ・・現用ユニット
ＭＳＴＵ０・・予備ユニット
ＢＲＮＥＴ・・受信フィルタ及びアンテナ共用器
ＡＮＴ・・アンテナ
ＢＳＷ１〜ＢＳＷ７・・ユニット切替スイッチ
ＵＳＷ１〜ＵＳＷ７・・無瞬断切替用スイッチ
ＳＵＢＲ・・合成分岐部
ＲＰＳ・・無線切替論理部
ＳＣＳＵ・・設定／監視制御部
【図１】
0003569127.tif 000002
【図２】
0003569127.tif 000003
【図３】
0003569127.tif 000004
【図４】
0003569127.tif 000005
【図５】
0003569127.tif 000006
【図６】
0003569127.tif 000007
【図７】
0003569127.tif 000008
【図８】
0003569127.tif 000009
【図９】
0003569127.tif 000010
【図１０】
0003569127.tif 000011
【図１１】
0003569127.tif 000012
【図１２】
0003569127.tif 000013
【図１３】
0003569127.tif 000014
【図１４】
0003569127.tif 000015
【図１５】
0003569127.tif 000016
【図１６】
0003569127.tif 000017
【図１７】
0003569127.tif 000018
【図１８】
0003569127.tif 000019
【図１９】
0003569127.tif 000020
【図２０】
0003569127.tif 000021
【図２１】
0003569127.tif 000022
【図２２】
0003569127.tif 000023
【図２３】
0003569127.tif 000024
【図２４】
0003569127.tif 000025
【図２５】
0003569127.tif 000026
【図２６】
0003569127.tif 000027
【図２７】
0003569127.tif 000028
【図２８】
0003569127.tif 000029
【図２９】
0003569127.tif 000030
【図３０】
0003569127.tif 000031
【図３１】
0003569127.tif 000032